(57)【要約】【課題】不正取得を防止しながら、メール利用者間のメールアドレスを取得するためのメールサーバによる電子メールアドレス取得方法を提供する。【解決手段】メールアドレスを要求している通信端末から、パスワードの発行要求のメールを受信し、該通信端末のメールアドレスをテーブルに登録し、前記パスワードと該パスワード使用の有効期限を含む情報を発行し、前記テーブルに登録するとともに、該情報を記載したメールを前記通信端末に送信する。前記有効期限内に、前記相手通信端末から、パスワードを含む情報が記載されたメールを受信した場合、該相手通信端末のメールアドレスを前記テーブルに登録するとともに、前記情報のパスワードと登録した前記パスワードと一致していると判断した場合、前記通信端末に、登録した前記相手通信端末のメールアドレスを転記して送信する。【選択図】図４
2009021892.tif 000002
【特許請求の範囲】
【請求項１】
ネットワークを介して、接続される複数のメールサーバと、該メールサーバと接続する複数の通信端末から構成されるシステムにおいて、互いに遠隔にある前記通信端末間のメールアドレス交換を行うに当たって、前記通信端末のメールアドレスを自動的に取得するための前記メールサーバによるメールアドレス取得方法であって、
相手通信端末のメールアドレスを要求している通信端末から、前記メールサーバにアクセスするためのパスワードの発行を要求するパスワード発行メールを受信し、該通信端末のメールアドレスを情報テーブルに登録するステップと、
パスワードと該パスワード使用の有効期限を含む情報を発行し、前記情報テーブルに登録するとともに、該情報を記載したパスワード連絡メールを前記通信端末に送信するステップと、
前記有効期限内に、前記相手通信端末から、パスワード及び前記通信端末のメールアドレスを要求する返信要求の有無を含む情報を記載したパスワード照会メールを受信した場合、該相手通信端末のメールアドレスを前記情報テーブルに登録するとともに、前記情報のパスワードと登録した前記パスワードと一致しているかを判断するステップと、
前記受信したパスワードと前記登録したパスワードとが一致していると判断し、前記返信要求の有無の情報が無であった場合、前記返信要求の無を含む情報を前記情報テーブルに登録し、前記通信端末に登録した前記相手通信端末のメールアドレスを転記したパスワード一致メールを送信するステップと、
を設けたことを特徴とする電子メールアドレス取得方法。
【請求項２】
前記通信端末に登録した前記相手通信端末のメールアドレスを転記したパスワード一致メールを送信するステップは、前記受信したパスワードと前記登録したパスワードとが一致していると判断し、前記返信要求の有無の情報が有であった場合、前記返信要求の有及び返信のための有効期限を含む情報を前記情報テーブルに登録し、前記通信端末に、登録した前記相手通信端末のメールアドレスを転記して送信するとともに、
さらに、前記返信のための有効期限内に、前記通信端末からパスワードを記載したメッセージ確認メールを受信し、該パスワードが前記登録したパスワードと一致している場合に、前記相手通信端末に前記通信端末のメールアドレスを転記したアドレス転送メールを送信するステップと、
を設けたことを特徴とする請求項１に記載の電子メールアドレス取得方法。
【発明の詳細な説明】
【技術分野】
【０００１】
本発明は、メール利用者間の電子メールアドレスをメールサーバとのメール交換によって取得するメールアドレス取得方法に関する。
【背景技術】
【０００２】
電子メールアドレスは、「アカウント名」＠「ドメイン名」の形式で記述されている。ドメイン名は、「組織」、「組織の区分」、「国」等のドットで区切られたラベルの部分から構成され、一般的に加入プロバイダから指定される固定的な語句である。携帯電話機のように入力キーの数の制約がある携帯情報機器では、電子メールアドレスの登録において、複数の語句候補をリストとして表示し、その中から固定的な語句を選択できるような入力操作によって、文字列を一字一句入力せずにドメイン名を簡単に設定出来るようにしている。
【０００３】
一方、アカウント名は、アドレスが重複しない限り、自由に利用者が選ぶことが可能であるが、迷惑メール防止の観点から、名前や生年月日をそのまま用いた単純な語句を避け、半角英数字／一部記号による概ね２０〜３０文字にすることが推奨されている。このような語句を組み合わせて記述した電子メールアドレスを登録する場合に、文字入力の学習機能や辞書機能も有効に機能せず、利用者が記号列を一字一句手作業で入力しなければならず、操作が面倒であった。
【０００４】
このような問題を解消する手段として、特許文献１には、登録者が自分の電子メールアドレスとそれに対応する識別子（受付番号）とパスワードを情報交換装置（メールサーバ）に登録しておき、この登録者が電子メールアドレスを伝えたい相手（要求者）に電子メール以外の手段で、上記識別子とパスワードを知らせる。要求者が識別子とパスワードを情報交換装置にメール送信し、これが一致したとき、要求者の電子メールアドレスへ登録者の電子メールアドレスを転送するようなメールアドレス交換方法が開示されている。
【特許文献１】特開平５−２５２１５５号公報
【発明の開示】
【発明が解決しようとする課題】
【０００５】
しかしながら、上記特許文献１に記載の技術では、要求者がメール送信した識別子とパスワードが情報交換装置に登録した識別子とパスワードと一致すると、要求者の電子メールアドレスへ登録された電子メールアドレスが自動的に転送されてしまう。識別子やパスワードの組み合わせは、スパムボット（Ｓｐａｍｂｏｔ）が総当りすることで、検索することが十分可能であり、実在する電子メールアドレスが情報交換装置から取得出来るので、この情報交換装置の機能自身が電子メールアドレスの不正取得の温床となってしまう懸念と問題がある。
【０００６】
そこで、本発明は、不正取得を防止しながら、メール利用者間のメールアドレスを取得するためのメールサーバによる電子メールアドレス取得方法を提供するものである。
【課題を解決するための手段】
【０００７】
上記課題を解決するために、上記のような工程からなる本発明に係る電子メールアドレス取得方法は、以下の特徴を有している。
【０００８】
本発明に係るメールアドレス取得方法は、ネットワークを介して、接続される複数のメールサーバと、該メールサーバと接続する複数の通信端末から構成されるシステムにおいて、互いに遠隔にある前記通信端末間のメールアドレス交換を行うに当たって、前記通信端末のメールアドレスを自動的に取得するための前記メールサーバによるメールアドレス取得方法であって、相手通信端末のメールアドレスを要求している通信端末から、前記メールサーバにアクセスするためのパスワードの発行を要求するパスワード発行メールを受信し、該通信端末のメールアドレスを情報テーブルに登録するステップと、パスワードと該パスワード使用の有効期限を含む情報を発行し、前記情報テーブルに登録するとともに、該情報を記載したパスワード連絡メールを前記通信端末に送信するステップと、前記有効期限内に、前記相手通信端末から、パスワード及び前記通信端末のメールアドレスを要求する返信要求の有無を含む情報を記載したパスワード照会メールを受信した場合、該相手通信端末のメールアドレスを前記情報テーブルに登録するとともに、前記情報のパスワードと登録した前記パスワードと一致しているかを判断するステップと、前記受信したパスワードと前記登録したパスワードとが一致していると判断し、前記返信要求の有無の情報が無であった場合、前記返信要求の無を含む情報を前記情報テーブルに登録し、前記通信端末に登録した前記相手通信端末のメールアドレスを転記したパスワード一致メールを送信するステップと、を設けたことを特徴とする。
【０００９】
また、本発明に係るメールアドレス取得方法において、前記通信端末に登録した前記相手通信端末のメールアドレスを転記したパスワード一致メールを送信するステップは、前記受信したパスワードと前記登録したパスワードとが一致していると判断し、前記返信要求の有無の情報が有であった場合、前記返信要求の有及び返信のための有効期限を含む情報を前記情報テーブルに登録し、前記通信端末に、登録した前記相手通信端末のメールアドレスを転記して送信するとともに、
さらに、前記返信のための有効期限内に、前記通信端末からパスワードを記載したメッセージ確認メールを受信し、該パスワードが前記登録したパスワードと一致している場合に、前記相手通信端末に前記通信端末のメールアドレスを転記したアドレス転送メールを送信するステップと、を設けたことを特徴とする。
【発明の効果】
【００１０】
本発明の電子メールアドレス取得方法は、上記のような工程を設けているため、以下のような優れた効果を奏し得る。
【００１１】
本発明の電子メールアドレス取得方法によれば、パスワード照会した相手がスパムメール送信者になりすました場合であっても、パスワード発行要求の通信端末の電子メールアドレスが不正流出される恐れがなく、メールアドレスを取得することが可能である。
【００１２】
また、本発明の電子メールアドレス取得方法によれば、ユーザＡ、Ｂの双方のメールアドレス交換を行うことが可能であり、ユーザの操作を簡略化することができるとともに、相手通信端末のメールアドレスの記載形態に応じて、「返信要求有・無」の２つのモードを選択することができ、ユーザの操作の利便性を高めるとともに、なりすましの防止を有効に行うことができる。
【００１３】
また、相互の電子メールアドレスの交換を非対面（遠隔）で行うメールサーバのサービスに適用可能である。
【発明を実施するための最良の形態】
【００１４】
以下、本発明の実施形態について図面を参照して説明する。
【００１５】
図１〜図８は、本発明の実施形態の一例であって、図中、同一の符号を付した部分は同一物を表わす。
【００１６】
図１は、本発明に係る電子メール取得方法を説明するための電子メール配信システムを示す概略システムブロック図である。
【００１７】
通信ネットワーク１５は、インターネット等の広域ネットワークＷＡＮ（Ｗｉｄｅ  Ａｒｅａ  Ｎｅｔｗｏｒｋ）である。図１では、この通信ネットワーク１５に、例えば、ゲートウェイやルータなどの装置を介して、３つのメールサーバ１３、１４、１６が接続されている例を示している。なお、図１では、ゲートウェイやルータなどの装置は図示しておらず、本発明に関連する部分のみを示している。通信端末１１とメールサーバ１３及び、通信端末１２とメールサーバ１４の間は、送信については、ＳＭＴＰ（Ｓｉｍｐｌｅ  Ｍａｉｌ  Ｔｒａｎｓｆｅｒ  Ｐｒｏｔｏｃｏｌ）、受信については、ＰＯＰ３（Ｐｏｓｔ
Ｏｆｆｉｃｅ  Ｐｒｏｔｏｃｏｌ  Ｖｅｒｓｉｏｎ３）などのプロトコルによって電子メールが配送され、メールサーバ１３、メールサーバ１４及びメールサーバ１６の間は、送受信ともにＳＭＴＰなどのプロトコルによって電子メールが交換される。
【００１８】
また、電子メールアドレスを交換したい通信端末１１、通信端末１２、メールサーバ１６は各々、電子メールアドレスａａａａａ＠ｓｈａｒｐ１．ｃｏ．ｊｐ／ｂｂｂｂｂ＠ｓｈａｒｐ２．ｃｏ．ｊｐ／ｃｃｃｃｃ＠ｓｈａｒｐ３．ｃｏ．ｊｐを所持しており、通信端末１１と通信端末１２は、メールサーバ１６の電子メールアドレスを周知しているものとする。
【００１９】
図２は、通信ネットワーク１５に接続されているメールサーバ１６の概略構成を示すブロック図である。
【００２０】
図２に示すように、メールサーバ１６は、装置全体を制御するＣＰＵ、制御プログラムや固定データ等を記憶するＲＯＭ、ＣＰＵの作業用記憶領域であるＲＡＭ等の半導体メモリなどからなる制御部２２と、メール交換によって取得した通信端末の電子メールアドレスやパスワード、パスワードの有効期限等のデータを記憶するＦＲＡＭ等の不揮発性半導体メモリ及びハードディスク装置などからなる記憶部２１と、パケット情報をＥｔｈｅｒｎｅｔ（登録商標）規格で伝送し、相互端末（メールサーバ）間をＴＣＰ／ＩＰプロトコルによってやり取りするＬＡＮ（Ｌｏｃａｌ  Ａｒｅａ  Ｎｅｔｗｏｒｋ）インターフェースなどからなる通信部２３と、を有して構成される。
【００２１】
次に、上記のように構成された通信端末、メールサーバ、通信ネットワークからなる電子メール交換システムにおいて、メールアドレスを取得するメールサーバの具体的な取得方法について、処理シーケンス及びフローチャートを用いて、以下に説明する。
＜第１の実施形態の説明；図３、図４及び図７、図８＞
ここで、互いのメールアドレスを知らない通信端末１１を使用するユーザＡと通信端末１２を使用するユーザＢとの間で、メールアドレスの交換を行う場合を想定し、メールアドレスを取得するメールサーバは、通信ネットワーク１５に接続されるメールサーバのどれでもよく、ここでは、メールサーバ１６を代表して説明するものとする。
【００２２】
図３は、メールサーバ１６の記憶部２１に登録された情報テーブルの内容を示した図である。
【００２３】
図４は、通信端末１１と通信端末１２とメールサーバ１６との処理の流れを示すシーケンス図であり、（ａ）は、通信端末１１が通信端末１２の電子メールアドレスを取得する場合のシーケンスを示し、（ｂ）は、通信端末１２が通信端末１１の電子メールアドレスを取得するシーケンスを示す。
【００２４】
まず、図４（ａ）に基づいて、メールサーバ１６が通信端末１２のメールアドレスを取得して、通信端末１１に知らせるまでの動作概念を説明する。
【００２５】
通信端末１１から“パスワード発行メール”を受信する（ステップＳ０１）。受信したメールヘッダ情報から通信端末１１の電子メールアドレスを取得するとともに、それに対応するパスワード及び、現在の時刻に一律の時間（例えば１５分間）を加算し求めた有効期限を情報テーブル３０の《種別：送》へ登録する（図３（ａ））。そして、通信端末１１へパスワードとパスワードの有効期限を記した“パスワード連絡メール”を送信する（ステップＳ０２）。
【００２６】
ここで、メールサーバ１６によって生成されたパスワード等を受け取った通信端末１１のユーザＡは、電子メールを取得したい通信端末１２のユーザＢへパスワードとパスワードの有効期限を電話等で連絡し、通信端末１２のユーザＢに対して、メールサーバにアクセスするように促すものとする（図４（ａ）に記載の点線矢印）。
【００２７】
パスワードの有効期限内に通信端末１２から、パスワードと返信要求無を記した“パスワード照会メール”を受信し（ステップＳ０３）、受信したメールヘッダ情報から通信端末１２の電子メールアドレスを取得するとともに、情報テーブル３０に登録されたパスワードと受信したパスワードが一致した場合、通信端末１２の電子メールアドレスと返信要求無の情報を情報テーブル３０の《種別：受》へ登録する（図３（ｂ））。そして、ステップＳ０１で取得した通信端末１１の電子メールアドレスへ、通信端末１２の電子メールアドレスを転記して“パスワード一致メール（メッセージなし）”を送信する（ステップＳ０４）。そして、ユーザＡは、取得したメールアドレスを使用して、ユーザＢにメールを行うか、又は、通信端末１２のユーザＢが、図４（ｂ）に示すシーケンスに従って、通信端末１１のユーザＡのメールアドレスを取得する。これによって、両者のメールアドレス交換が終了する。
【００２８】
以上のように、通信端末１２の電子メールアドレスのアカウント名の一部に、通信端末１２のユーザＢの名前の綴りなどが在り、通信端末１１のユーザＡが通信端末１２の電子メールアドレスであることを容易に類推することが可能である場合、通信端末１２のユーザＢが“返信要求無”のモードを指定する。
【００２９】
通信端末１１のユーザＡは“パスワード一致メール（メッセージなし）”に転記された通信端末１２の電子メールアドレスをハイパーリンクして使用するので、パスワード照会した相手が通信端末１２のユーザＢになりすましたスパムメール送信者であっても、通信端末１１の電子メールアドレスが不正流出される恐れがない。
【００３０】
次に、上記説明したシーケンスの具体的な動作について、図７及び図８のフロー図を用いて説明する。
【００３１】
図７及び図８は、それぞれ、メールサーバ１６の処理の流れを示すフローチャート（１／２）、メールサーバ１６の処理の流れを示すフローチャート（２／２）である。なお、本フローチャートは、後述する第２の実施形態における動作フローを含んだフロー図となっている。
【００３２】
まず、メールサーバ１６のメールアドレス交換処理に関する受信メール（例えば、パスワードの発行）があるか否かの監視を行う（ステップＳ２１）。受信メールが無い場合はステップＳ２２へ、受信メールが有る場合はステップＳ２４へ移行する。
【００３３】
ステップＳ２２では、情報テーブル３０に登録された情報の有効期限をチェックし、現在の時刻よりも古い期限になった情報が存在するか否かを判断し、存在する場合（ステップＳ２２；Ｙｅｓ）には、その情報を削除し（ステップＳ２３）、該当する情報テーブル３０を削除する処理（以下、受信メールの監視処理と略称する）であるステップＳ２１に戻る。存在しない場合（ステップＳ２２；Ｎｏ）には、そのままステップＳ２１（受信メールの監視処理）に戻る。
【００３４】
ステップＳ２４では、受信したメールの内容に応じ、それぞれの処理に移行する。“パスワード発行メール”の場合にはステップＳ２５へ、“パスワード照会メール”の場合にはステップＳ４１へ、“メッセージ確認メール”の場合にはステップＳ２９へ、その他のメールの場合にはステップＳ２１へ、それぞれ移行する。なお、ステップＳ２９〜ステップＳ３２は、後述する第２の実施形態において説明する。
【００３５】
ステップＳ２５に移行した場合に、ステップＳ２５では、受信したメールヘッダ情報の送信元アドレス（Ｆｒｏｍアドレス）から送信者の電子メールアドレスを取得し、情報テーブル３０《種別：送》に該電子メールアドレスの登録がない場合（ステップＳ２５；Ｎｏ）、ステップＳ２６へ移行する。登録があった場合（ステップＳ２５；Ｙｅｓ）には、ステップＳ２１（受信メールの監視処理）に戻る。
【００３６】
ステップＳ２６では、情報テーブル３０に、例えば、重複しない概ね１０文字以内のパスワードを発行し、ステップＳ２７へ移行する。ステップＳ２７では、情報テーブル３０の《種別：送》に送信者の電子メールアドレス、パスワード、現在の時刻に一律の時間（例えば１５分間）を加算し求めた有効期限を登録し、ステップＳ２８へ移行する。
【００３７】
ステップＳ２８では、情報テーブル３０の《種別：送》に登録されたメールアドレス宛てにパスワードと有効期限をメール送信して、ステップＳ２１（受信メールの監視処理）に戻る。
【００３８】
次に、ステップＳ２４において、ステップＳ４１に移行すると、ステップＳ４１は、受信したメールに記載されたパスワードと情報テーブル３０に登録されたパスワードが一致するか否かを判断する。一致した場合（ステップＳ４１；Ｙｅｓ）、ステップＳ４２へ移行し、一致しなかった場合（ステップＳ４１；Ｎｏ）には、ステップＳ２１（受信メールの監視処理）に戻る。
【００３９】
そして、ステップＳ４２では、受信したメールに記載された返信要求の「有り」の指定がされたか否かを判断し、返信要求の「有り」の場合（ステップＳ４２；Ｙｅｓ）には、ステップ４３へ移行し、返信要求が「無し」の場合（ステップＳ４２；Ｎｏ）、ステップＳ４５へ移行する。なお、ステップＳ４３、４４については、後述する第２の実施形態における処理であることから、説明を省略する。
【００４０】
ステップＳ４５では、受信したメールヘッダ情報の送信元アドレス（Ｆｒｏｍアドレス）から送信者（通信端末１２のユーザＢ）の電子メールアドレスを取得し、情報テーブル３０の《種別：受》に該「電子メールアドレス」及び「返信要求無」の登録し、ステップＳ４６へ移行する。
【００４１】
ステップＳ４６では、情報テーブル３０の《種別：送》に登録したメールアドレス宛てに、《種別：受》に登録した「メールアドレス」及び「メッセージ無し」の情報をメール送信し、該当する情報テーブル３０を削除する処理であるステップＳ２３へ戻る。
【００４２】
メールサーバが送受信するメールは、テキスト／ＨＴＭＬ形式、メール本文に記載／件名に記載／添付ファイルに記載、どちらでも記述することは出来るが、セキュリティの観点から、テキスト形式、メール本文に記載した形態であることが好ましい。
【００４３】
本発明に係るメールサーバが受信する電子メールは、「デジタル署名」または「電子署名」と呼ばれる身分証明がされた、なりすましのない認証メールであることがより好ましい。
＜第２の実施形態の説明；図５、図６及び図７、図８＞
次に、本発明の第２の実施形態について以下に説明する。
【００４４】
図５は、第２の実施形態におけるメールサーバ１６の記憶部２１に登録された情報テーブルの内容を示した図である。
【００４５】
また、図６は、第２の実施形態における通信端末１１と通信端末１２とメールサーバ１６との処理の流れを示すシーケンス図である。
【００４６】
図６において、ステップＳ１１とＳ１２は、上記第１の実施形態の場合と同等であり、説明を省き、ステップＳ１３以降について説明する。
【００４７】
パスワードの有効期限内に通信端末１２から、パスワードと返信要求有とメッセージを記した“パスワード照会メール”を受信し、受信したメールヘッダ情報から通信端末１２の電子メールアドレスを取得するとともに、情報テーブル３１に登録されたパスワードと受信したパスワードが一致した場合、通信端末１２の電子メールアドレスと返信要求有の情報及び、現在の時刻に一律の時間（例えば１５分間）を加算し求めた新しい有効期限を情報テーブル３１（図５（ｂ））の《種別：受》へ登録する（ステップＳ１３）。そして、通信端末１１の電子メールアドレスへ通信端末１２の「電子メールアドレス」と「メッセージ」、「返信要求有」と「有効期限」の情報を記した“パスワード一致メール（メッセージ有り）”を送信する（ステップＳ１４）。
【００４８】
通信端末１１により、上記「メッセージ」が確認され、パスワードの有効期限内に通信端末１１から、パスワードを記した“メッセージ確認メール”を受信する（ステップＳ１５）。
【００４９】
そして、受信したメールヘッダ情報から通信端末１１の電子メールアドレスを取得し、情報テーブル３１に登録されたパスワードとメールアドレス《種別：送》が一致し、返信要求が「有り」である場合、通信端末１２の電子メールアドレスへ通信端末１１の電子メールアドレスを転記して“アドレス転送メール”を送信する（ステップＳ１６）。
【００５０】
以上のように、通信端末１２の電子メールアドレスのアカウント名が記号の羅列で構成され、通信端末１１のユーザＡが通信端末１２の電子メールアドレスであることを類推することが困難である場合、通信端末１２のユーザＢが“返信要求有”のモードを指定する。通信端末１１のユーザＡは通信端末１２からのメールメッセージ（例えば、Ｂです。Ａさん宜しくお願いします。）を確認し、パスワード照会した相手を把握することが出来るので、通信端末１２のユーザＢになりすましたスパムメール送信者に通信端末１１の電子メールアドレスが不正流出されることを防止する。
【００５１】
通信端末１１のユーザＡは“パスワード一致メール（メッセージあり）”に転記された通信端末１２の電子メールアドレスを、また通信端末１２のユーザＢは“アドレス転送メール”に転記された通信端末１１の電子メールアドレスをハイパーリンクし、通信端末１１と通信端末１２の電子メールアドレスを交換することが出来る。
【００５２】
次に、上記説明したシーケンスの具体的な動作について、上記第１の実施形態と同様に、図７、８の動作のフロー図を用いて説明する。
【００５３】
ここで、本実施形態は、上記第１の実施形態に対して、ステップＳ４５〜Ｓ４６の処理をステップＳ４３〜Ｓ４４の処理に置き換え、ステップＳ２９〜ステップＳ３２の処理を追加したものであり、以下、この２つの処理について説明する。
なお、前述したように、ステップＳ４２において、返信要求が「有り」の場合（ステップＳ４２；Ｙｅｓ）には、後述するステップ４３へ移行し、返信要求が「無し」の場合には、ステップＳ４５に移行するが、この処理については、第１の実施形態における処理であることから、説明を省略する。
【００５４】
まず、“パスワード照会メール”受信時に返信要求「有り」の処理（ステップＳ４３〜Ｓ４４）について説明する。
【００５５】
ステップＳ４２において、受信したメールに記載された返信要求が有りの場合（ステップＳ４２；Ｙｅｓ）、ステップＳ４３に移行し、このステップＳ４３では、情報テーブル３１の《種別：受》にメールヘッダ情報の送信元アドレス（Ｆｒｏｍアドレス）から取得した送信者の電子メールアドレスと返信要求有を登録し、現在の時刻に一律の時間（例えば１５分間）を加算し求めた有効期限を上書きし、ステップＳ４４に移行する。
【００５６】
ステップＳ４４では、情報テーブル３１の《種別：送》に登録されたメールアドレス宛てに、《種別：受》に登録された「メールアドレス」、「返信要求有」と「有効期限」、送信者からの「メッセージ」をメール送信し、ステップＳ２１（受信メールの監視処理）に戻る。
【００５７】
次に、ステップＳ２４において、受信したメールが“メッセージ確認メール”であると認識すると、ステップＳ２９に移行する。ステップＳ２９では、受信したメールに記載されたパスワードと情報テーブル３１に登録されたパスワードが一致するか否かを判断し、一致する場合（ステップＳ２９；Ｙｅｓ）、ステップＳ３０へ移行し、一致しない場合には（ステップＳ２９；Ｎｏ）、ステップＳ２１（受信メールの監視処理）に戻る。
【００５８】
ステップＳ３０では、受信したメールヘッダ情報の送信元アドレス（Ｆｒｏｍアドレス）から送信者の電子メールアドレスを取得し、情報テーブル３１の《種別：送》に該電子メールアドレスの登録がある場合（ステップＳ３０；Ｙｅｓ）、ステップＳ３１へ移行し、登録なしの場合には（ステップＳ３０；Ｎｏ）、ステップＳ２１（受信メールの監視処理）に戻る。
【００５９】
ステップＳ３１では、情報テーブル３１の《種別：受》に登録された返信要求が有りの場合（ステップＳ３１；Ｙｅｓ）、ステップＳ３２へ移行し、“パスワード照会メール”において、相手のメールアドレスを返信要求しているにも拘わらず、返信要求の登録がなされていない場合（ステップＳ３１；Ｎｏ）には、ステップＳ２１（受信メールの監視処理）に戻る。
【００６０】
ステップＳ３２では、情報テーブル３１の《種別：受》に登録されたメールアドレス宛てに、《種別：送》に登録された「メールアドレス」をメール送信するとともに、ステップＳ２３の処理に戻る。
【００６１】
以上説明したように、通信端末１２のユーザＢのメールアドレスの記載形態に応じて、「返信要求有・無」の２つのモードを選択することができ、ユーザＡ、Ｂの操作の利便性を高めるとともに、なりすましの防止を有効に行うことができる。
【００６２】
尚、本発明の電子メール取得方法は、上記した実施の形態に限定されるものではなく、本発明の要旨を逸脱しない範囲内において種々変更を加え得ることは勿論である。
【図面の簡単な説明】
【００６３】
【図１】本発明に係る電子メール取得方法を説明するための電子メール配信システムを示す概略システムブロック図である。
【図２】通信ネットワーク１５に接続されているメールサーバ１６の概略構成を示すブロック図である。
【図３】第１の実施形態におけるメールサーバ１６の記憶部２１に登録された情報テーブルの内容を示した図である。
【図４】第１の実施形態における通信端末１１と通信端末１２とメールサーバ１６との処理の流れを示すシーケンス図であり、（ａ）は、通信端末１１が通信端末１２の電子メールアドレスを取得する場合のシーケンスを示し、（ｂ）は、通信端末１２が通信端末１１の電子メールアドレスを取得するシーケンスを示す図である。
【図５】第２の実施形態におけるメールサーバ１６の記憶部２１に登録された情報テーブルの内容を示した図である。
【図６】第２の実施形態における通信端末１１と通信端末１２とメールサーバ１６との処理の流れを示すシーケンス図である。
【図７】メールサーバ１６の処理の流れを示すフローチャート（１／２）である。
【図８】メールサーバ１６の処理の流れを示すフローチャート（２／２）である。
【符号の説明】
【００６４】
１１、１２  通信端末
１３、１４、１６  メールサーバ
１５  通信ネットワーク
２１  記憶部
２２  制御部
２３  通信部
３０、３１  情報テーブル
【図１】
2009021892.tif 000003
【図２】
2009021892.tif 000004
【図３】
2009021892.tif 000005
【図４】
2009021892.tif 000006
【図５】
2009021892.tif 000007
【図６】
2009021892.tif 000008
【図７】
2009021892.tif 000009
【図８】
2009021892.tif 000010